(57)【要約】      （修正有）【課題】かかとをしっかりサポートして大きな急激な動きに対しても容易に対応することができ、剥がれにくい靴擦れ等の創傷用貼付材を提供する。【解決手段】柔軟な透湿性のある基材１、基材の一方の面の全面に塗布された粘着剤２、粘着剤の中央部に配置されるパッド３、および剥離紙がこの順で積層されている貼付材であって、基材が略扇形であり、略扇形の外側の大きい円弧を構成する長辺Ａと相対する内側の小さい円弧を構成する短辺Ｂの長さの比（Ａ／Ｂ）が１．５〜２．５であり、長辺と短辺にそれぞれ接する２辺が直線状で略同じ長さであり、パッドが不織布とネットの積層物、フォーム、またはハイドロコロイド型粘着剤組成物を含む。【選択図】図１
0003224318.tif 000002
【実用新案登録請求の範囲】
【請求項１】
柔軟な透湿性のある基材、該基材の一方の面の全面に塗布された粘着剤、該粘着剤の中央部に配置されるパッド、および剥離紙がこの順で積層されている貼付材であって、
該基材が略扇形であり、
略扇形の外側の大きい円弧を構成する長辺Ａと相対する内側の小さい円弧を構成する短辺Ｂの長さの比（Ａ／Ｂ）が１．５〜２．５であり、
長辺Ａと短辺Ｂにそれぞれ接する２辺が直線状で略同じ長さであり、
パッドが不織布とネットの積層物、フォーム、またはハイドロコロイド型粘着剤組成物を含む
貼付材。
【請求項２】
靴擦れ用又はあかぎれ用、あるいはその予防用途で用いられる請求項１に記載のかかと用貼付材。
【請求項３】
基材が、織布、編布、不織布、フィルム、発泡体から選択され、
粘着剤がゴム、アクリル、シリコーン、ウレタン系粘着剤から選択され、
パッドが透明または半透明である
請求項１〜２に記載の貼付材。
【請求項４】
該基材がウレタンを含み、パッドの形状が矩形である請求項１〜３に記載の貼付材。
【請求項５】
パッドがハイドロコロイド型粘着剤組成物であり、（Ａ）エラストマー、（Ｂ）粘着付与樹脂、（Ｃ）可塑剤、（Ｄ）コロイド粒子を含み、粘着付与樹脂がＣ５系樹脂またはＣ５／Ｃ９系樹脂からなる群より選択される少なくとも一種を含有する請求項１〜４に記載の貼付材。
【請求項６】
かかとの抹消側に長辺Ａが配置されるように貼付されるための請求項１〜５に記載の貼付材。
【請求項７】
紙、プラスチックフィルム、又はそれらの複合材で形成された包装材中に封入される請求項１〜６に記載の貼付材。
【請求項８】
大きさが、長さ５．６〜７．０ｃｍ、幅３．７〜４．５ｃｍの略扇形である請求項１〜７に記載の貼付材。
【考案の詳細な説明】
【技術分野】
【０００１】
本考案は、特にその基材の片面に粘着剤を塗布し、その中央部にパッド部材を貼着してなり、かかとに生じた靴ずれなどや、擦り傷、切り傷などの創傷面に貼付するのに適した貼付材に関する。
【背景技術】
【０００２】
絆創膏は、職場や家庭において予期しない創傷に対する緊急処置の一手段として広く普及している。これら多くの貼付材は、基材に粘着剤を積層し、その中央部にパッドを配置し、そしてこの粘着剤およびパッドからなる面に、剥離可能な剥離紙を貼付し、それが包装されて販売されている。これら市販の貼付材は、一般に製造の容易さ、工程の簡素化等の観点から、長方形、あるいは長方形の四隅の角を丸めた形状を採用している。
【先行技術文献】
【特許文献】
【０００３】
【特許文献１】特開2000-37413号公報
【特許文献２】特開2002-639号公報
【考案の概要】
【考案が解決しようとする課題】
【０００４】
しかし長方形の基本形状を採用した貼付材をかかとに貼付する際には、例えば靴擦れなどにおいて、実際に創傷部に当てられるパッドとその周囲にある粘着剤面の形状のバランスが悪く、貼付材の長さ方向には長すぎ、幅方向には粘着剤面が短すぎるという問題があった。このため、かかとの部位に対応できるような形状が求められていた。
【課題を解決するための手段】
【０００５】
本考案は、以下＜１＞〜＜８＞で示す実施態様により課題を解決することができる。
＜１＞
柔軟な透湿性のある基材、該基材の一方の面の全面に塗布された粘着剤、該粘着剤の中央部に配置されるパッド、および剥離紙がこの順で積層されている貼付材であって、
該基材が略扇形であり、
略扇形の外側の大きい円弧を構成する長辺Ａと相対する内側の小さい円弧を構成する短辺Ｂの長さの比（Ａ／Ｂ）が１．５〜２．５であり、
長辺Ａと短辺Ｂにそれぞれ接する２辺が直線状で略同じ長さであり、
パッドが不織布とネットの積層物、フォーム、またはハイドロコロイド型粘着剤組成物を含む
貼付材。
＜２＞
靴擦れ用又はあかぎれ用、あるいはその予防用途で用いられる＜１＞に記載のかかと用貼付材。
＜３＞
基材が、織布、編布、不織布、フィルム、発泡体から選択され、
粘着剤がゴム、アクリル、シリコーン、ウレタン系粘着剤から選択され、
パッドが透明または半透明である
＜１＞または＜２＞に記載の貼付材。
＜４＞
該基材がウレタンを含み、パッドの形状が矩形である＜１＞〜＜３＞に記載の貼付材。
＜５＞
パッドがハイドロコロイド型粘着剤組成物であり、（Ａ）エラストマー、（Ｂ）粘着付与樹脂、（Ｃ）可塑剤、（Ｄ）コロイド粒子を含み、粘着付与樹脂がC5系樹脂またはC5/C9系樹脂からなる群より選択される少なくとも一種を含有する＜１＞〜＜４＞に記載の貼付材。
＜６＞
かかとの抹消側に長辺Ａが配置されるように貼付されるための＜１＞〜＜５＞に記載の貼付材。
＜７＞
紙、プラスチックフィルム、又はそれらの複合材で形成された包装材中に封入される＜１＞〜＜６＞に記載の貼付材。
＜８＞
大きさが、長さ５．６〜７．０ｃｍ、幅３．７〜４．５ｃｍの略扇形である＜１＞〜＜７＞に記載の貼付材。
本考案は、かかる形状を採用することにより、平坦でないかかと形状に合わせるように適切な貼付材の配置が可能となり、皮膚から剥がれにくい貼付材を製造することを可能とする。
【考案の効果】
【０００６】
本考案の貼付材は、従来の貼付材と比較して、かかと用に基材を略扇形にすることにより、かかとをしっかりサポートして大きな急激な動きに対しても容易に対応することができ、剥がれにくい。
【図面の簡単な説明】
【０００７】
【図１】(a) 本考案の貼付材の剥離紙を剥がした例。  (b) (a)のA-A断面図
【考案を実施するための形態】
【０００８】
本考案の貼付材は、基材、粘着剤、パッドおよび剥離紙がこの順で積層されている。基材と粘着剤は同形状で層状に積層されており、以下、粘着テープと表現することがある。
本考案における貼付材の基材は、適度な柔軟性を有するもので透湿性があるものであれば特に限定されない。かかる基材の例としては、綿、スフ、麻、化学繊維などからなる織布や編布などの布帛、ポリエチレン、ポリウレタンなどのプラスチックフィルム、レーヨン、ポリエステル、ナイロン、ウレタンなどの不織布、和紙などを挙げることができ、好ましくは一般に創傷の包帯の裏打ち材層に使用されている柔軟な薄層シートである。特に好ましい基材に使用しうるシートは、透湿性の弾性シートであり、例えばポリウレタン、軟質ポリエチレン等の透明または半透明の薄層シートを挙げることができる。
透湿性があるものとは、基材の透湿度（ＪＩＳＺ０２０８、４０℃、９０％ＲＨにおいて測定される）が５０ｇ／ｍ２・２４ｈｒ以上のことを指し、特に３００ｇ／ｍ２・２４ｈｒ以上のものが好ましい。基材の透湿度が低すぎると、長時間貼付後の貼付材の皮膚粘着力は低くなり、剥がれやすくなる。
【０００９】
本考案の該基材の略扇形の外側の円弧を構成する長辺Ａと相対する内側の円弧を構成する短辺Ｂの長さの比（Ａ／Ｂ）が１．５〜２．５である。この比が２．５より大きくなると、かかとの創傷部に対し貼付材を貼付した際に、無用な粘着テープ部分の面積が多くなりがちとなり好ましくない。また１．５未満では、かかとの上側をカバーする粘着テープ部分の面積が多くなりすぎ、無用な健常皮膚への貼付面積が増えるため好ましくない。貼付材を構成する四隅の角を丸めた形状としても良い。
【００１０】
本考案の粘着剤は、直接皮膚に貼付するものであるから、皮膚刺激性の少ないものでなければならない。一般には、天然ゴムなどのゴム系、アクリル系、ポリイソブチレン系、シリコーン系、ウレタン系など、通常、貼付材に使用されている粘着剤を使用することができる。また、ハイドロコロイド粘着剤を用いることもできる。
【００１１】
本考案におけるパッドは、創傷部を被覆して保湿性があり、創傷部から浸出する体液、血液等を吸収するためのもので、パッドの素材としては、不織布とネットの積層物、フォーム、または保湿性が良好なハイドロコロイド型粘着剤組成物が好適である。
【００１２】
不織布とネットの積層物としては、不織布はポリエステル、レーヨン、ポリオレフィン、ネットはポリエステル、レーヨン、ポリオレフィンの樹脂からなるものを挙げることができ、不織布とネットは、例えばグラビアロールによる熱融着により接着され得る。フォームとしては、ウレタン発泡体が挙げられる。
【００１３】
ハイドロコロイド型粘着剤組成物としては、構成は特に限定されないが、好適な構成の一例としては（Ａ）エラストマー、（Ｂ）粘着付与樹脂、（Ｃ）可塑剤、及び（Ｄ）コロイド粒子を含有し、前記（Ｂ）粘着付与樹脂が、Ｃ５系樹脂及びＣ５／Ｃ９系樹脂からなる群より選択される少なくとも一種を含有する。またこのように構成されたパッドは、透明または半透明である。パッドをハイドロコロイド型粘着剤組成物とすることにより、創傷部からの浸出液、あるいは外部から水を吸収すると白濁する。特に基材が透明または半透明のフィルムである場合は、基材側から目視でパッドの水の吸収状態およびパッド部位が保湿状態であることを確認することができる。
【００１４】
（Ａ）エラストマーとしては、好適には、スチレン系ブロック共重合体及びポリイソブチレン（以下、ＰＩＢとも称する）を含む。
（Ｂ）粘着付与樹脂としては、具体的にはロジン樹脂、ロジンエステル樹脂、テルペン樹脂、テルペンフェノール樹脂、Ｃ５系樹脂、Ｃ５／Ｃ９系樹脂、ＤＣＰＤ系石油系樹脂、クマロン・インデン樹脂、またこれらの水添物などが挙げられる。特に、Ｃ５系樹脂及びＣ５／Ｃ９系樹脂からなる群より選択される少なくとも一種を有する粘着付与樹脂を採用することにより、側面からの染み出しを抑制し、適度な貼付性とのバランスを有した、快適な貼付を可能にする皮膚貼付用ハイドロコロイド型粘着剤組成物を提供し得る。
（Ｃ）可塑剤としては、パラフィン系、ナフテン系、等の石油系プロセスオイルやひまし油、大豆油などの植物油、及び植物油由来の脂肪酸エステルなどの軟化剤を使用してもよい。
（Ｄ）コロイド粒子としては、特に制限はないが、例えば、カルボキシメチルセルロース、カルボキシメチルセルロース・ナトリウム（ＣＭＣ）、カルボキシメチルセルロース・カルシウム、ヒドロキシアルキルメチルセルロース、ポリアクリル酸及びその塩等のハイドロコロイド粒子（親水性ポリマー）を挙げることができる。
【００１５】
パッドの形状は、矩形、四隅を丸めた矩形、一端または両端にテーパをつけた形状、楕円形などの形状を適宜採用することができる。パッドの面積は、パッドが配置される基材面積の０．２〜０．７倍である。０．２倍未満では、パッド面積が小さくなりすぎ、創傷部分への貼着時にわずかなずれで創傷面からパッドがずれてしまうため好ましくない。また０．７倍を越えると、パッドの周囲の粘着剤の幅が不十分となり、かかとから、貼付材が剥がれる場合が生じる。パッドの厚さに特に制限はないが、通常０．２ｍｍから１ｍｍである。
【００１６】
本考案における剥離紙は、粘着剤およびパッドを使用時まで覆い隠す目的に使用される。が適度に接着することができ、かつ使用時には容易に剥離することができるものから選択される。かかる剥離紙としては、紙やポリエチレンと紙を積層したものに、シリコーンやフッ素樹脂などの剥離性材料でコーティングしたシートを採用することができる。
【００１７】
本考案貼付材の製造方法に特に制限はないが、例えば、剥離紙上に粘着剤組成物を塗布して粘着剤を形成し、該粘着剤上に基材を接着させ、次に裏返して剥離紙を剥離し、新たな剥離紙２枚を、パッド中央部分またはパッド部分を外して粘着剤の部分から剥離紙を剥がす起点となるように重ね合わせてセットした後、全体を略扇形材形状の型で打ち抜くことにより本考案の貼付材を製造することができる。
【実施例】
【００１８】
図１は、本考案の剥離紙を剥がした後の貼付材を表している。基材はポリウレタンフィルム、粘着剤は発泡したアクリル系粘着剤、パッドはハイドロコロイド型粘着剤組成物を使用している。(a)は正面図であり、(b)はA-A線断面図である。
【００１９】
本実施例の貼付材は、テープ幅としては長さ５．６ｃｍ、幅３．７ｃｍの略扇形であり、パッドの長さは２．２ｃｍ、幅１．８ｃｍの矩形である。この貼付材の形状は、かかとに好適であり、それぞれを１．２５〜２倍と大型にすれば大きな創傷部位にも対応することができる。特に好適なテープ幅としては長さ７．０ｃｍ、幅４．５ｃｍの略扇形である。
【００２０】
本考案の貼付材の製造方法は、特に限定されず、従来の貼付材の製造方法で作製することができる。
例えば、シリコーン系剥離剤等を塗布した工程紙上に、粘着剤となる合成樹脂の溶液又はエマルションを塗工し、該粘着剤を発泡させることによって、合成樹脂を含有する通気性を持つ、好ましくは発泡した粘着剤を形成した後に、織布からなる基材と積層する方法によって、粘着テープを用意することができる。
一方、ハイドロコロイド粘着剤組成物からなるパッドを適切な大きさに裁断し、前記の粘着テープ上の略中央に配置し、更に剥離紙を配置して、略扇形形状等に裁断して、貼付材を得る。通常は、後の工程で室温において、紙、プラスチックフィルム、又はそれらの複合材で形成された包装材中に貼付材を封入して製品となる。
本考案の貼付材は包装材で１個ずつ包装して個別包装体とすることができる。
【符号の説明】
【００２１】
１・・・基材、２・・・粘着剤、３・・・パッド
【図１】
0003224318.tif 000003
【手続補正書】
【提出日】令和1年10月18日(2019.10.18)
【手続補正１】
【補正対象書類名】実用新案登録請求の範囲
【補正対象項目名】全文
【補正方法】変更
【補正の内容】
【実用新案登録請求の範囲】
【請求項１】
柔軟な透湿性のある基材、該基材の一方の面の全面に塗布された粘着剤、該粘着剤の中央部に配置されるパッド、および剥離紙がこの順で積層されている貼付材であって、
該基材が略扇形であり、
略扇形の外側の大きい円弧を構成する長辺Ａと相対する内側の小さい円弧を構成する短辺Ｂの長さの比（Ａ／Ｂ）が１．５〜２．５であり、
長辺Ａと短辺Ｂにそれぞれ接する２辺が直線状で略同じ長さであり、
パッドが不織布とネットの積層物、フォーム、またはハイドロコロイド型粘着剤組成物を含む
貼付材。
【請求項２】
靴擦れ用又はあかぎれ用、あるいはその予防用途で用いられる請求項１に記載のかかと用貼付材。
【請求項３】
基材が、織布、編布、不織布、フィルム、発泡体から選択され、
粘着剤がゴム、アクリル、シリコーン、ウレタン系粘着剤から選択され、
パッドが透明または半透明である
請求項１または２記載の貼付材。
【請求項４】
該基材がウレタンを含み、パッドの形状が矩形である請求項１〜３のいずれか一項に記載の貼付材。
【請求項５】
パッドがハイドロコロイド型粘着剤組成物であり、（Ａ）エラストマー、（Ｂ）粘着付与樹脂、（Ｃ）可塑剤、（Ｄ）コロイド粒子を含み、粘着付与樹脂がＣ５系樹脂またはＣ５／Ｃ９系樹脂からなる群より選択される少なくとも一種を含有する請求項１〜４のいずれか一項に記載の貼付材。
【請求項６】
かかとの抹消側に長辺Ａが配置されるように貼付されるための請求項１〜５のいずれか一項に記載の貼付材。
【請求項７】
紙、プラスチックフィルム、又はそれらの複合材で形成された包装材中に封入される請求項１〜６のいずれか一項に記載の貼付材。
【請求項８】
大きさが、長さ５．６〜７．０ｃｍ、幅３．７〜４．５ｃｍの略扇形である請求項１〜７のいずれか一項に記載の貼付材。
【手続補正２】
【補正対象書類名】明細書
【補正対象項目名】０００５
【補正方法】変更
【補正の内容】
【０００５】
本考案は、以下＜１＞〜＜８＞で示す実施態様により課題を解決することができる。
＜１＞
柔軟な透湿性のある基材、該基材の一方の面の全面に塗布された粘着剤、該粘着剤の中央部に配置されるパッド、および剥離紙がこの順で積層されている貼付材であって、
該基材が略扇形であり、
略扇形の外側の大きい円弧を構成する長辺Ａと相対する内側の小さい円弧を構成する短辺Ｂの長さの比（Ａ／Ｂ）が１．５〜２．５であり、
長辺Ａと短辺Ｂにそれぞれ接する２辺が直線状で略同じ長さであり、
パッドが不織布とネットの積層物、フォーム、またはハイドロコロイド型粘着剤組成物を含む
貼付材。
＜２＞
靴擦れ用又はあかぎれ用、あるいはその予防用途で用いられる＜１＞に記載のかかと用貼付材。
＜３＞
基材が、織布、編布、不織布、フィルム、発泡体から選択され、
粘着剤がゴム、アクリル、シリコーン、ウレタン系粘着剤から選択され、
パッドが透明または半透明である
＜１＞または＜２＞に記載の貼付材。
＜４＞
該基材がウレタンを含み、パッドの形状が矩形である＜１＞〜＜３＞のいずれか一項に記載の貼付材。
＜５＞
パッドがハイドロコロイド型粘着剤組成物であり、（Ａ）エラストマー、（Ｂ）粘着付与樹脂、（Ｃ）可塑剤、（Ｄ）コロイド粒子を含み、粘着付与樹脂がC5系樹脂またはC5/C9系樹脂からなる群より選択される少なくとも一種を含有する＜１＞〜＜４＞のいずれか一項に記載の貼付材。
＜６＞
かかとの抹消側に長辺Ａが配置されるように貼付されるための＜１＞〜＜５＞のいずれか一項に記載の貼付材。
＜７＞
紙、プラスチックフィルム、又はそれらの複合材で形成された包装材中に封入される＜１＞〜＜６＞のいずれか一項に記載の貼付材。
＜８＞
大きさが、長さ５．６〜７．０ｃｍ、幅３．７〜４．５ｃｍの略扇形である＜１＞〜＜７＞のいずれか一項に記載の貼付材。
本考案は、かかる形状を採用することにより、平坦でないかかと形状に合わせるように適切な貼付材の配置が可能となり、皮膚から剥がれにくい貼付材を製造することを可能とする。